(57)【要約】【課題】半永久的に繰り返し貼着でき、一旦装着したら位置がずれがたく、長時間貼着可能であり、かぶれず、人体に負担をかけることもなく、必要な用途、効果を与えることができる装具を提供するべく粘着式治療補助システムを提供する。【解決手段】治療補助を行う支持体により構成される粘着式治療補助システムにおいて、該支持体を使用者の皮膚に粘着させるべく、内表面に圧着タイプの貼着層を具有する該支持体により構成され該粘着層は永久的に該支持体に貼着する圧着粘着剤とし、該支持体内表面に対する粘着力は、使用者の皮膚との結合力より大きいものであり、該支持体の素材、形状によりユーザーが必要とする用途、効果を選択でき、ユーザーが自由に設計、切断することにより、ユーザーが必要とする用途、効果を選択できることを特徴とする。【選択図】    図１
2006026342.tif 000002
【特許請求の範囲】
【請求項１】
治療補助を行う支持体により構成される粘着式治療補助システムにおいて、該支持体を使用者の皮膚に粘着させるべく、内表面に圧着タイプの貼着層を具有する該支持体により構成されることを特徴とする粘着式治療補助システム。
【請求項２】
該貼着層は永久的に該支持体に貼着する圧着粘着剤とし、該支持体内表面に対する粘着力は、使用者の皮膚との結合力より大きいものであることを特徴とする請求項１記載の粘着式治療補助システム。
【請求項３】
該支持体の素材、形状によりユーザーが必要とする用途、効果を選択できることを特徴とする請求項１記載の粘着式治療補助システム。
【請求項４】
ユーザーが自由に設計、切断することにより、ユーザーが必要とする用途、効果を選択できることを特徴とする請求項１記載の粘着式治療補助システム。
【発明の詳細な説明】
【技術分野】
【０００１】本発明は、粘着式治療補助システムに関わり、さらに詳しく述べれば該支持体は使用者の皮膚に繰り返し貼着するべく圧着タイプの貼着層によって構成されており、且つ該支持体の調整によって使用者の治療を行うことを特徴とする粘着式治療補助システムに関わる。
【背景技術】
【０００２】従来、障害の予防、治療を行うものとして（１）テーピングテープ、（２）サポーター、（３）矯正バンド、（４）包帯などがある。【０００３】  （１）は人体へ直接貼付することで貼付部位が汗などで蒸れることで皮膚がかぶれ長時間貼付することができなかった。そのことにより、何度も貼り直さなければならず使い捨てていかなければならなかった。この問題を解決しようと通気性の良いものや、汗をよく吸って蒸発を促すようなものなどが提案されてきたがどれも解決には至っていない。【０００４】  （２）は圧迫して使用部位に固定する為使用部位の血流やリンパの流れを抑制し、長時間使用すると症状を悪化させかねなかった。さらに動くうちにずれたり、使ううちに素材が伸びたりして圧迫力がなくなりずれがでてその効果が弱まったり、皮膚を擦り軽度の皮膚炎を起こすことがあった。この問題を解決しようと圧迫力を調節できるものや、ずれにくい素材を使用するものなどが提案されてきたがどれも解決には至っていない。【０００５】  （３）は（２）と同様圧迫による不具合やずれによる不具合があり、さらに全体の動作を制限、または力を与えられるので筋肉に負担がかかり、硬縮、炎症を起こしたり、関節運動がままならないため、関節が円滑に動かなくなり目的とする部位の治療はもとより、他の部位まで痛めかねない。それは程度の差こそあれ（２）にも言える。この問題を解決するため（２）にあるような提案や、関節の動き、筋肉の動きを損なわないような構造の物が提案されてきたが、やはり解決には至っていない。また（２）、（３）は特別に注文したものを除いてある程度規格が決まっていて、個人に合ったサイズや形状を有さない。この問題を解決するものとして、サイズ、形態を調節できるものなど提案されているが、個人の体形は千差万別であり、規格があるものではある程度しか対応できない。【０００６】  （４）は、ずれることにより効果を弱めやすい。
【発明の開示】
【発明が解決しようとする課題】
【０００７】本発明は、上記の問題を改善し、障害の予防、治療のための人体に負担のかからない治療補助システムを提供することを課題とする。また本発明は、半永久的に有効で且つ重複使用できる粘着剤によって、使用者が接続片を使用することなく、装具を必要な位置に定位し、装具の移動を防ぐ治療補助システムを提供することを課題とする。
【課題を解決するための手段】
【０００８】上記課題を解決するため、本発明の治療補助具は、各種支持体から構成され、該支持体内表面上に圧着タイプの貼着層を設けることで使用者の皮膚に貼着させる個所を提供し、該圧着タイプの貼着層を該支持体と永久的に貼着させる圧着接着剤とし、且つ該貼着層の皮膚に対する粘着力よりも大きく設定し、装着の際は該支持体を皮膚に貼着させ、使用者の皮膚に粘着できるようにし、該支持体の素材、形状によりユーザーが必要とする用途、効果を選択でき、ユーザーが自由に設計、切断することによりユーザーが必要とする用途、効果を選択できることを特徴とする。
【発明の効果】
【０００９】本発明によると、従来の補助具と大きく異なり、圧迫によらず使用者の皮膚に支持体を貼着させることができ、ずれない補助具を提供できる。それにより血流、リンパの流れを抑制することなどなく、また必要ならば圧迫することもできるので、その機能を損なわない。さらに支持体により擦れることもなく皮膚に炎症を起こさない。水分を吸着させないのでかぶれることもなく貼着させ続けることができる。本発明は使用者の補助、支持、矯正したい部位に必要な力のみを提供できるので、他の部位に負担をかけることがなく、逆に助けることもできる。さらに本発明は、該支持体の素材、形状によりユーザーが必要とする用途、効果を選択でき，ユーザーが自由に設計、切断することによりユーザーが必要とする用途、効果を選択することができ万人に合った装具を提供できる。
【発明を実施するための最良の形態】
【００１０】本発明の実施の形態を図面参照にて詳細に説明する。図１の（ａ）は本発明の上部図であるが、形態的な特徴はあまり無い。が、特徴が無いことが逆に特徴ともいえる。つまり本発明は切り分けることにより、使用可能な部位、用途が変化し、様々な分野で応用が利くもので、その外観の特徴は機能的にはあまり差し障りが無い。また該支持体１に規格を持たせ、該貼着層２を該支持体１の使用者への被貼付面に設置することにより、それぞれ用途に合わせた治療補助具もこれに含む。【００１１】  （ｂ）は（ａ）の断面図である。この該貼着層２は該支持体１を使用者の皮膚上の適切な位置に定位させ、これにより使用者に必要な支持、補助、矯正を行うことができるのである。【００１２】  該貼着層２の材質は使用者の皮膚の適切な位置に貼設してユーザーの求めるよう用途、効果を提供するべく、且つ使用者の皮膚に貼着しやすく且つ剥がし易いものとするべく圧着粘着剤（ＰＳＡ）や両面テープなどを採用する。該ＰＳＡを設ける数量や形状は状態によって変化させる。即ち支持体１の被貼付面の一部を塗っても良い。各種要素、たとえば装具のサイズ、形状、重さおよび使用者の部位の状態に応じて変化させる。該貼着層に繰り返し使用できる特性をもつＰＳＡを採用することにより、支持体１の被貼付面に永久的に該支持体の内表面に貼着するものであり、且つ一度使用者の体に貼着させると位置がずれ難く、且つ反復使用でき、その粘性は失われないといった利点が提供される。また特記すべきことは該貼着層２が該支持体に貼着する力は、それが使用者の皮膚に貼着する力よりも大きいこと、ならびにこの該貼着層２は激しい運動や圧力によってもずり落ちたりしないこと、さらに汗や水に対してもその粘着力は衰えることもなく、またこの該貼着層２が乾燥して埃や垢などの雑物が張り付いてしまっても、石鹸水などでこれを洗浄すれば、これらの顆粒はすべて完全に除去され、元の貼着性が回復する。【００１３】  該支持体１は主に一層もしくは多層が合わさった材料である。これには通常人体の補助、支持、矯正などを行う補助具を使用しても良い。つまりこの支持体に該貼着層を設けることによりずれない補助具を提供できるのである。よって該支持体は人体の補助、支持、矯正などを行うのに必要な材料で、使用者に必要に応じたその他の条件にかなった材料を用いる。【００１４】  図２は本発明を左母指の内転により母指外側部の外転筋に痛みを訴える場合に用いた例であるが、これは本発明をテーピングテープのように使用したものである。本発明を母指外側面に前腕部まで貼着し、母指が内転するのを制限する。このとき３，４の間に張力があれば、外転する力を補助することができ、外転筋にかかる負荷を減らすことができる。また３，４の間にまったく伸縮性がないものを用いれば、母指が内転するのを防ぐことができ外転筋に負荷を与えない。【００１５】  図３は本発明を左母指の内転により母指外側部の外転筋に痛みを訴える場合に用いた例であるが、これは本発明をサポーターのように使用したものである。このように使用することで３−４、３−５間などに張力を与え、母指にかかる負荷を軽減できる。ようするに母指を動かすにあたって必要な筋力をサポーター��補うことにより、外転筋はもちろん、母指に関わる筋肉の負担を軽減させるのである。またこれを伸縮性のないもので行うと、母指の動きを固定することができ、それにより母指にかかる負荷を与えない。【００１６】  図４は本発明を足関節を負傷した場合に用いた例であるが、これは本発明を包帯のように使用したものである。負傷部位を柔軟性のある物で保護したり、柔軟性のない物で固定するのに用いることができる。これにより、患部の補助、支持ができる。【００１７】  図５は本発明を脊椎の後弯を正常に矯正する場合に用いた例であるが、これは本発明を矯正バンドのように使用したものである。脊椎の後弯は患者の日常の姿勢や、背筋の弱さによるが、図のように取り付けることで、上半身の前傾するのを抑えることができる。また張力を有することで上半身を後ろに引っ張り、背筋の収縮を助け、前傾した際の背筋にかかる負荷を緩和できる。このことにより、脊椎が後弯するのを防ぎ、補助することで正常な状態に矯正していくことができる。以上に上げたように該支持体はその素材により用途、効果を選択できる。【００１８】  本発明は前述のように使用するため、該支持体の素材、形状によりユーザーが求める用途、効果を選択でき、ユーザーが自由に設計、切断できることにより、ユーザーが求める用途、効果を選択できる。
【図面の簡単な説明】
【００１９】
【図１】（ａ）上部図  （ｂ）断面図
【図２】テーピング仕様
【図３】サポーター仕様
【図４】包帯仕様
【図５】矯正仕様
【符号の説明】
【００２０】
【１】支持体
【２】貼着層
【３】母指端
【４】外側端
【５】内側端
【図１】
2006026342.tif 000003
【図２】
2006026342.tif 000004
【図３】
2006026342.tif 000005
【図４】
2006026342.tif 000006
【図５】
2006026342.tif 000007